(57)【特許請求の範囲】
【請求項１】
既設の横葺き屋根の上に新設屋根を構築する横葺き屋根の改修構造において、
面板部と、面板部の棟縁に設けた棟側成形部と、面板部の軒縁に設けた軒側成形部とからなる新設横葺き外装材を、既設横葺き外装材上に敷設すると共に、棟側成形部と軒側成形部の何れか一方又は両方を、既設横葺き外装材の軒側成形部と軒側の既設横葺き外装材の棟側成形部との間の空間若しくは接合部分への挿入にて固定したことを特徴とする横葺き屋根の改修構造。
【請求項２】
新設横葺き外装材の軒側係合部を既設屋根の軒側成形部に固定することを特徴とする請求項１に記載の横葺き屋根の改修構造。
【請求項３】
既設の横葺き屋根の上に新設屋根を構築する横葺き屋根の改修方法において、
面板部と、面板部の棟縁に設けた棟側成形部と、面板部の軒縁に設けた軒側成形部とからなる新設横葺き外装材を、既設横葺き外装材上に敷設すると共に、棟側成形部と軒側成形部の何れか一方又は両方を、既設横葺き外装材の軒側成形部と軒側の既設横葺き外装材の棟側成形部との間の空間若しくは接合部分への挿入にて固定することを特徴とする横葺き屋根の改修方法。
【発明の詳細な説明】
【０００１】
【発明の属する技術分野】
本発明は、既設の横葺き屋根の上に簡易な構造で優れた施工性を有する新設屋根を施工することができる横葺き屋根の改修構造及び改修方法に関する。
【０００２】
【従来の技術】
周知の様に横葺き屋根は従来より広く知られる屋根構造の一種であり、都市部及び農村部を問わず全国的に膨大な施工数がある。そして、経年の使用の後に外装材表面の塗装面の剥がれや変色等、或いは外装材自体の変形（損傷）や劣化等が生じた場合、部分的な補修が行われることもあるが、全体的に劣化等が存在したり統一性のある意匠性を有する屋根面を回復することを目的として全面の改修工事が行われることもある。
改修の必要が生じた横葺き屋根は、外装材を取り外して新たな外装材を敷設・固定して改修する。
【０００３】
【発明が解決しようとする課題】
しかしながら、前述のような改修方法では、外装材を取り外すためにその居住者は改修施工期間その家屋から退去する必要があり、そのための費用や手間がかかるものであった。
また、外装材を取り外す際の作業にて、施工期間が長くなって費用や手間も周辺地域に与える影響も増大したり、例えば断熱材を傷付けて粉塵や埃を近隣に飛散させたり、多くの廃材を量産して処理に費用が手間がかかったり、或いは都市部の密集地域では廃材を運搬するまで一時保管しておく場所を確保することが困難である場合もあった。
そこで、本発明者は、既設の横葺き屋根を取り外すことなくそのまま維持すると共に、その既設屋根の構造を利用して、簡易な構造で優れた施工性を有する新設屋根を施工することができる横葺き屋根の改修構造及び改修方法を提案することを目的とする。
【０００４】
【課題を解決するための手段】
本発明は上記に鑑み提案されたもので、既設の横葺き屋根の上に新設屋根を構築する横葺き屋根の改修構造において、面板部と、面板部の棟縁に設けた棟側成形部と、面板部の軒縁に設けた軒側成形部とからなる新設横葺き外装材を、既設横葺き外装材上に敷設すると共に、棟側成形部と軒側成形部の何れか一方又は両方を、既設横葺き外装材の軒側成形部と軒側の既設横葺き外装材の棟側成形部との間の空間若しくは接合部分への挿入にて固定したことを特徴とする横葺き屋根の改修構造及び改修方法に関するものである。
尚、本発明における「空間若しくは接合部分」とは、接着されていない状態であれば接触非接触を問うものではなく、説明上、「空間」とは比較的大きな接合部分をも含むものとし、「接合部分」は圧接している状態や極めて僅かな隙間を介して対向しているものを指す。
【０００５】
また、新設横葺き外装材の軒側成形部を接合や固定具等により既設屋根の軒側成形部に固定することが望ましい。
【０００６】
尚、既設の横葺き屋根は、一般的な横葺き外装材により施工されたもので、面板部の軒縁を折り下げて成形される軒側成形部と、面板部の棟縁を立ち上げて成形される棟側成形部とを有し、吊子等の保持部材を用いて下地に固定され、棟軒方向に隣接する既設外装材の軒側成形部と棟側成形部とが係合して接続することにより連続する外装面を形成する構造である。これに対し、本発明にて使用する新たな横葺き材外装材の軒側成形部と棟側成形部とはその接続において相互に係合することを要件としない。
【０００７】
【発明の実施の形態】
本発明の改修の対象となる既設の横葺き屋根は、少なくとも平板状の面板部１１と、面板部１１の軒縁を折り下げて成形される軒側成形部１２と、面板部１１の棟縁を立ち上げて成形される棟側成形部１３とを有する既設横葺き外装材（以下、既設外装材という）１が、例えば吊子などの既設保持部材２により下地に取り付けられ、棟軒方向に隣接する既設外装材１，１の軒側成形部１２と棟側成形部１３とが係合して接続された構造であれば、特にその具体的な構成を限定するものではない。
【０００８】
図１〜５に示す実施例では、改修の対象となる既設の横葺き屋根は、既設外装材１が、平板状の面板部１１と、面板部１１の軒縁を折り下げて成形された軒側成形部１２と、面板部１１の棟縁を立ち上げて成形された棟側成形部１３とを有する構成であり、棟軒方向に配された既設垂木３上に既設保持部材（吊子）２が固定され、該既設保持部材２，２間に一定厚みの既設バックアップ材４が取り付けられ、軒側の既設バックアップ材４の棟端上に軒側の既設バックアップ材４の軒端が載置されて階段状の断熱層が形成されている。そして、既設保持部材２を介して軒側の既設外装材１の棟側成形部１２と棟側の既設外装材１の軒側成形部１３が係合して接続されたものである。
【０００９】
本発明の改修にて施工される新設屋根は、既設屋根を保持部材として利用して敷設・固定される新設横葺き外装材（以下、新設外装材という）５からなる。
そして、新設外装材５は、面板部５１と、面板部の棟縁に設けた棟側成形部５３と、面板部５１の軒縁に設けた軒側成形部５２とからなり、棟側成形部５３と軒側成形部５２の何れか一方又は両方を、既設の棟側の既設外装材１の軒側成形部１２と軒側の既設外装材１の面板部１１又は棟側成形部１３との間の空間若しくは接合部分への挿入にて固定するものであって、言い換えれば新設外装材５の軒側成形部５２の先端に、棟側の既設外装材１の軒側成形部１２と軒側の既設外装材１の面板部１１との間の空間に挿入（係合）させる軒側係合部（５２１）、若しくは棟側成形部１３との間の接合部分へ挿入させる軒側挿入部（５２２）を設けるか、棟側成形部５３の先端に、棟側の既設外装材１の軒側成形部１２と軒側の既設外装材１の面板部１１との間の空間に挿入（係合）させる棟側係合部（５３１）、若しくは棟側成形部１３との間の接合部分へ挿入させる棟側挿入部（５３２）を設けるか、或いはその両方を備える構成である。また、実質的に横葺き外装材として取り扱うことができるもの、例えば太陽電池を一体成形した外装材や太陽電池を枠組したパネルなどを用いるようにしても良い。
【００１０】
図１に示す実施例に用いられる新設外装材５は、平板状の面板部５１と、面板部５１の軒縁を折り下げた形状の軒側成形部５２と、面板部５１の棟縁を立ち上げ、その上縁に棟側へ向かう棟側挿入部５３２を備える棟側成形部５３とを有する構成である。
この新設外装材５は、特に素材を限定するものではないが、代表的には概ね０．４〜１．６ｍｍ程度の表面化粧鋼板、ラミネート鋼板、メッキ鋼板、ステンレス鋼板、アルミ合金板、チタン合金板、銅板等の公知の金属素材をロール成形その他の手段で所定の形状に成形する。さらに、新設外装材５の裏面には、結露防止、防音、電飾防止、防火対策上の理由により、必要に応じてポリエチレンフォーム、グラスウールシート等の裏貼り材５０を添装しても良い。
【００１１】
このような新設外装材５から構成される図１に示す実施例の新設屋根は、軒側から棟側方向へ施工する。
まず新設外装材５を既設外装材１上に配し、軒側成形部５２を軒側成形部１２にビス等の固定具５４等で固定する。
続いて、棟側の既設外装材１の軒側成形部１２と棟側成形部１３との間の接合部分状の接合部分へ棟側挿入部５３２を差し込むように挿入して棟側成形部５３を固定する。
そして、その棟側に新たな新設外装材５を配し、軒側成形部５２を軒側成形部１２にビス等の固定具５４等にて固定する。
これらを棟側から軒側方向へ順に繰り返し実施することにより、新設屋根を施工することができる。
【００１２】
このように本発明の改修構造は、既設屋根を取り外すことなくそのまま下地若しくは保持部材として積極的に利用し、容易に新設屋根を施工できる。具体的には棟側の既設外装材１の軒側成形部１２と軒側の既設外装材１の棟側成形部１３との間の接合部分を取付部として有効に利用することができる。
【００１３】
図２に示す実施例に用いられる新設外装材５は、軒側成形部５２が軒側挿入部５２２を備え、棟側成形部５３が棟側挿入部５３２を備える以外は前記図１の実施例と全く同様であり、同一符号を付して説明を省略する。
このような新設外装材５から構成される新設屋根も、軒側から棟側方向へ施工する。
まず新設外装材５を既設外装材１上に配し、棟側の既設外装材１の軒側成形部１２と棟側成形部１３との間の接合部分へ棟側成形部５３の棟側挿入部５３２を挿入する。
次に、その棟側に新たな新設外装材５を配し、前記接合部分へ軒側成形部５２の軒側挿入部５２２を挿入する。
この状態で軒側成形部５２からビス等の固定具５４を打ち込んで軒側成形部１２にビス止めして固定する。
これらを軒側から棟側方向へ順に繰り返し実施することにより、新設屋根を施工することができる。
そして、この実施例では、軒側成形部５２を既設外装材１の軒側成形部１２に固定したので、軒側挿入部５２２が接合部分に挿入（挿着）された構成と相俟ってより安定に取り付けることができる。
【００１４】
図３に示す実施例に用いられる新設外装材５は、軒側成形部５２が軒側挿入部５２２を備え、棟側成形部５３が棟側係合部５３１を備える以外は前記図１の実施例と全く同様であり、同一符号を付して説明を省略する。
このような新設外装材５から構成される新設屋根も、軒側から棟側方向へ施工する。
まず新設外装材５を既設外装材１上に配し、棟側の既設外装材１の軒側成形部１２と面板部１１との間の空間へ棟側成形部５３の棟側係合部５３１を配する。
次に、その棟側に新たな新設外装材５を配し、軒側成形部１２と棟側成形部１３との間の接合部分へ軒側成形部５２の軒側挿入部５２２を挿入する。
この状態で軒側成形部５２からビス等の固定具５４を打ち込んで軒側成形部１２に固定する。
これらを軒側から棟側方向へ順に繰り返し実施することにより、新設屋根を施工することができる。
そして、この実施例でも、軒側成形部５２を軒側成形部１２に固定したので軒側成形部５２を安定に固定でき、軒側成形部５２の軒側挿入部５２２の挿着と相俟って安定に取り付けることができる。
【００１５】
図４に示す実施例に用いられる新設外装材５は、軒側成形部５２が軒側係合部５２１を備え、棟側成形部５３が棟側係合部５３１を備える以外は前記図１の実施例と全く同様であり、同一符号を付して説明を省略する。
このような新設外装材５から構成される新設屋根も、軒側から棟側方向へ施工する。
まず新設外装材５を既設外装材１上に配し、棟側の既設外装材１の軒側成形部１２を上方へ持ち上げて軒側成形部１２と面板部１１との間の空間を広げ、この空間へ棟側成形部５３の棟側係合部５３１を挿入する。
次に、その棟側に新たな新設外装材５を配し、前記空間へ軒側成形部５２の軒側係合部５２１を挿入して係合させる。
この状態で軒側成形部５２からビス等の固定具５４を打ち込んで軒側成形部１２及びその内側の既設保持部材２にビス止めして固定する。
これらを軒側から棟側方向へ順に繰り返し実施することにより、新設屋根を施工することができる。
そして、この実施例でも、軒側成形部５２をビス等の固定具５４で既設屋根に固定したので、軒側係合部５２１の係合と相俟って軒側成形部５２を安定に取り付けることができる。
【００１６】
尚、何れの実施例でも、ビス等の固定具５４を打ち込む代わりに、例えば軒側成形部５２の裏面に接着剤を塗布して既設の軒側成形部１２に接合するようにして固定しても良いが、この場合、既設外装材１の塗装面の塗着強度などに依存されることとなる。そのため、前記実施例のようにビス等の固定具５４にて固定する方が、既設外装材１塗装面の塗着強度に依存されることなく軒側成形部５２を安定に固定することができる。
【００１７】
図５に示す実施例に用いられる新設外装材５’は、面板部５１を構成する太陽電池モジュール５Ａとその左右側縁に取り付けられる側縁フレーム５Ｂ，５Ｃと軒縁に取り付けられる軒縁フレーム５Ｄと棟縁に取り付けられる棟縁フレーム５Ｅとからなる（配線等は図示省略した）。また、軒縁フレーム５Ｄは、断面が略Ｓ字状で、下方に軒側の新設外装材５’の棟縁フレーム５Ｅを挿入可能な溝部及び軒側係合部５５を備える構成である。また、太陽電池モジュールに代えて「彩色ガラス」等を用いても良い。この「彩色ガラス」を用いる場合、裏面側に彩色することで、ガラスによって彩色部が保護されるので長年にわたって彩色部の変色や退色等が抑制されて長期間に亘ってその色彩が保持され、意匠性も維持される。
【００１８】
このような新設外装材５’から構成される新設屋根は、棟側から軒側方向へ施工する。
まず新設外装材５’を既設外装材１上に配し、棟側の端部（棟縁フレーム５Ｅ）を棟側の新設外装材５’の軒縁フレーム５Ｄの溝部に挿入する。その際、新設外装材５’を、既設外装材１上に沿って軒側から棟側へ滑らせるように配して軒縁フレーム５Ｄの軒側係合部５５が既設外装材１の軒側成形部１２の下端に係合されるようにする。
この状態で軒側フレーム５Ｄの溝部からビス等の固定具５４を打ち込んで軒側成形部１２及びその内側の既設保持部材２にビス止めして固定する。
これらを棟側から軒側方向へ順に繰り返し実施することにより、新設屋根を施工することができる。
【００１９】
以上本発明を図面の実施の形態に基づいて説明したが、本発明は前記実施の形態に限定されるものではなく、特許請求の範囲に記載の構成を変更しない限りどのようにでも実施することができる。
【００２０】
【発明の効果】
以上説明したように本発明の横葺き屋根の改修構造及び改修方法は、既設屋根を取り外すことなくそのまま下地として利用するものである。即ち従来は吊子等の保持部材を使用せずに、しかも軒側成形部と棟側成形部とを相互に係合せずに施工することは物理的に不可能であったが、本発明の改修構造及び改修方法では、吊子等の保持部材を使用することなく、既設屋根を保持部材として利用して新設屋根を施工するものであって、棟側成形部と軒側成形部の何れか一方又は両方を、既設横葺き外装材の軒側成形部と軒側の既設横葺き外装材の面板部又は棟側成形部との間の空間若しくは接合部分への挿入にて固定するため、外装材が長手方向で連続して支持（場合によって「挟持」）されるので、外装材が安定的に取り付けることができる。また、部材点数が最小（横葺き外装材のみ）であり、配設の際の位置決めが容易であり、施工性が優れている。既設屋根を剥がすことなく新設屋根を施工するので、撤去等に関するコストが掛からず、全体的に安価に葺き替えることができる。また、新設屋根の下に既設屋根があることで、新設屋根の施工後の構造が二重となり、雨仕舞に優れる。
【図面の簡単な説明】
【図１】本発明の改修構造の一実施例を示し、要部を拡大して示す断面図である。
【図２】本発明の改修構造の別の一実施例を示す側断面図である。
【図３】本発明の改修構造の別の一実施例を示す側断面図である。
【図４】本発明の改修構造の別の一実施例を示す側断面図である。
【図５】本発明の改修構造の別の一実施例を示す側断面図である。
【符号の説明】
１  既設（横葺き）外装材
２  既設保持部材
３  既設垂木
４  既設バックアップ材
５  新設（横葺き）外装材
５１  面板部
５２  軒側成形部
５２１  軒側係合部
５２２  軒側挿入部
５３  棟側成形部
５３１  棟側係合部
５３２  棟側挿入部
５４  固定具
【図１】
0003984854.tif 000002
【図２】
0003984854.tif 000003
【図３】
0003984854.tif 000004
【図４】
0003984854.tif 000005
【図５】
0003984854.tif 000006